(57)【要約】【課題】容易に現像ギャップを微調整しうる現像ギャップ調整装置を提供する。【解決手段】リボルバ現像装置の左右に一対の円板状の側板（支持部材）４２を対向して設ける。各側板４２の内面の対応する位置には、４つのホルダ４３をそれぞれ径方向に移動自在に取り付け、また、直線溝（ガイド）を設けて４つの調整部材４４を各ホルダ４３の移動方向に対してそれぞれ交差する方向に調整移動可能に備える。そして、各ホルダ４３でそれぞれ対応する現像ローラ（現像剤担持体）を回転自在に支持する。そして、調整部材４４を矢印Ｂの方向に移動させると、調整部材４４に押されてホルダ４３が矢印Ａ方向に移動し、像担持体と現像ローラとの現像ギャップを調整する。【選択図】　　　　図５
2004086087.tif 000002
【特許請求の範囲】
【請求項１】
対向する一対の支持部材で、ホルダを介して現像剤担持体を回転自在に支持し、前記支持部材に対して前記ホルダを移動自在として像担持体に対して前記現像剤担持体を近付けたり遠退けたりすることにより現像ギャップを調整する現像ギャップ調整装置において、
前記ホルダの移動方向に対して交差する方向に調整移動して前記ホルダを移動する調整部材を備えることを特徴とする、現像ギャップ調整装置。
【請求項２】
前記調整部材の調整移動方向が前記ホルダの移動方向と交差する角度を７５度以上９０度未満とすることを特徴とする、請求項１に記載の現像ギャップ調整装置。
【請求項３】
前記ホルダを付勢して前記調整部材に押し当てる付勢部材を備えることを特徴とする、請求項１または２に記載の現像ギャップ調整装置。
【請求項４】
前記支持部材に、前記調整部材の調整移動を案内するガイドを設けることを特徴とする、請求項１ないし３のいずれか１に記載の現像ギャップ調整装置。
【請求項５】
対向する一対の支持部材で、ホルダを介して現像剤担持体を回転自在に支持し、前記支持部材に対して前記ホルダを移動自在として像担持体に対して前記現像剤担持体を近付けたり遠退けたりすることにより現像ギャップを調整する現像ギャップ調整装置において、
前記支持部材に案内部材を設け、その案内部材に、前記ホルダを前記現像剤担持体の軸方向に調整移動するとき、前記ホルダを案内して前記像担持体に対して前記現像剤担持体を近付けたり遠退けたりする案内面を形成することを特徴とする、現像ギャップ調整装置。
【請求項６】
前記案内面を、前記現像剤担持体の軸方向に直交する方向に対して７５度以上９０度未満傾斜して設けることを特徴とする、請求項５に記載の現像ギャップ調整装置。
【請求項７】
前記ホルダを前記支持部材に対して調整板を挟んで固定することを特徴とする、請求項５または６に記載の現像ギャップ調整装置。
【請求項８】
請求項１ないし７のいずれか１に記載の現像ギャップ調整装置を備えることを特徴とする、画像形成装置。
【発明の詳細な説明】
【０００１】
【発明の属する技術分野】
この発明は、対向する一対の支持部材で、ホルダを介して現像剤担持体を回転自在に支持し、支持部材に対してホルダを移動自在として像担持体に対して現像剤担持体を近付けたり遠退けたりすることにより現像ギャップを調整する現像ギャップ調整装置、およびその現像ギャップ調整装置をそなえた複写機やプリンタやファクシミリ、またはそれらの複合機などの電子写真式の画像形成装置に関する。
【０００２】
【従来の技術】
従来の電子写真式の画像形成装置は、対向する一対の支持部材にそれぞれレバー状のホルダの一端を回動自在にそなえ、そのホルダで現像剤担持体を保持する。そして、そのホルダの他端を専用の調整治具で動かしながら、現像剤担持体と像担持体との現像ギャップを調整していた。
【０００３】
【発明が解決しようとする課題】
ところが、このような画像形成装置では、現像ギャップ調整時における、ホルダの移動距離と現像ギャップの変化距離がほぼ１：１となっているため、現像ギャップの微調整が難しいという問題があった。
【０００４】
そこで、この発明の第１の目的は、容易に現像ギャップを微調整しうる現像ギャップ調整装置を提供することにある。
【０００５】
この発明の第２の目的は、調整部材の移動に追随してホルダを確実に移動させることにある。
【０００６】
この発明の第３の目的は、上記各目的を達成した現像ギャップ調整装置を備える画像形成装置を提供することにある。
【０００７】
【課題を解決するための手段】
そのため、請求項１に記載の発明は、上述した第１の目的を達成すべく、対向する一対の支持部材で、ホルダを介して現像剤担持体を回転自在に支持し、前記支持部材に対して前記ホルダを移動自在として像担持体に対して前記現像剤担持体を近付けたり遠退けたりすることにより現像ギャップを調整する現像ギャップ調整装置において、　前記ホルダの移動方向に対して交差する方向に調整移動して前記ホルダを移動する調整部材を備えることを特徴とする。
【０００８】
請求項２に記載の発明は、上述した第１の目的を達成すべく、請求項１に記載の現像ギャップ調整装置において、前記調整部材の調整移動方向が前記ホルダの移動方向と交差する角度を７５度以上９０度未満とすることを特徴とする。
【０００９】
請求項３に記載の発明は、上述した第２の目的を達成すべく、請求項１または２に記載の現像ギャップ調整装置において、前記ホルダを付勢して前記調整部材に押し当てる付勢部材を備えることを特徴とする。
【００１０】
請求項４に記載の発明は、上述した第１の目的を達成すべく、請求項１ないし３のいずれか１に記載の現像ギャップ調整装置において、前記支持部材に、前記調整部材の調整移動を案内するガイドを設けることを特徴とする。
【００１１】
請求項５に記載の発明は、上述した第１の目的を達成すべく、対向する一対の支持部材で、ホルダを介して現像剤担持体を回転自在に支持し、前記支持部材に対して前記ホルダを移動自在として像担持体に対して前記現像剤担持体を近付けたり遠退けたりすることにより現像ギャップを調整する現像ギャップ調整装置において、前記支持部材に案内部材を設け、その案内部材に、前記ホルダを前記現像剤担持体の軸方向に調整移動するとき、前記ホルダを案内して前記像担持体に対して前記現像剤担持体を近付けたり遠退けたりする案内面を形成することを特徴とする。
【００１２】
請求項６に記載の発明は、上述した第１の目的を達成すべく、請求項５に記載の現像ギャップ調整装置において、前記案内面を、前記現像剤担持体の軸方向に直交する方向に対して７５度以上９０度未満傾斜して設けることを特徴とする。
【００１３】
請求項７に記載の発明は、上述した第１の目的を達成すべく、請求項５または６に記載の現像ギャップ調整装置において、前記ホルダを前記支持部材に対して調整板を挟んで固定することを特徴とする。
【００１４】
請求項８に記載の発明は、上述した第３の目的を達成すべく、画像形成装置において、請求項１ないし７のいずれか１に記載の現像ギャップ調整装置を備えることを特徴とする。
【００１５】
【発明の実施の形態】
以下、図面を参照しつつ、この発明の現像ギャップ調整装置を備えた画像形成装置につき説明する。図１は、画像形成装置の一例として示すカラー複写機であり、その内部機構の全体概略構成を示す。図２は、その要部の拡大図である。
【００１６】
図中符号１０は、複写機装置本体である。装置本体１０には、その外装ケース１１内の中央やや右寄りに、ドラム状の像担持体１２を備える。像担持体１２のまわりには、その上に設ける帯電装置１３から図中矢示する回転方向に順に、リボルバ現像装置１４、中間転写ユニット１５、クリーニング装置１６、除電装置１７などを設ける。それら帯電装置１３・リボルバ現像装置１４・クリーニング装置１６・除電装置１７の上には、レーザ書込み装置１８を備える。
【００１７】
リボルバ現像装置１４は、図２に示すように、イエロ・マゼンタ・シアン・ブラックの各色のトナーを収納する現像器２０Ａ・２０Ｂ・２０Ｃ・２０Ｄを保持する。そして、中心軸２１まわりに回動して、各色の現像器２０Ａ・２０Ｂ・２０Ｃ・２０Ｄの現像ローラ２２を、適宜選択的に像担持体１２の外周に対向できるようにする。
【００１８】
次に、中間転写ユニット１５は、図１に示すように、複数のローラ２３にエンドレスベルト状の中間転写体２４を掛け渡し、その一部を像担持体１２に接触する。中間転写体２４の内周には、第１転写装置２５を設ける。外周には、第２転写装置２６と転写体クリーニング装置２７などを設ける。転写体クリーニング装置２７は、中間転写体２４に対して接離自在とする。
【００１９】
レーザ書込み装置１８は、光学読取り装置２９による読取り内容に応じてレーザ光Ｌを照射して書込みを行い、像担持体１２上に静電潜像を形成する。光学読取り装置２９は、装置本体１０の上面に備えるコンタクトガラス３０上にセットした原稿Ｇの内容を色分解光ごとに読み取り、電気的な画像信号に変換する。
【００２０】
また、図中符号３２は、図中右から左へと用紙等のシートを搬送するシート搬送路である。シート搬送路３２には、対向する中間転写ユニット１５と第２転写装置２６の手前にレジストローラ３３を備え、後に搬送ベルト３４、定着装置３５、排出ローラ３６を備える。
【００２１】
装置本体１０は、給紙装置５０上に載置する。給紙装置５０内には、複数の給紙カセット５１を多段に備える。そして、給紙ローラ５２の１つを選択的に駆動してそのうちの１の給紙カセット５１から送り出したシートを、装置本体１０内の自動給紙路３７を通してシート搬送路３２へと導く。
【００２２】
また、装置本体１０の右側面には、手差しトレイ３８を開閉自在に備える。そして、その手差しトレイ３８で案内して挿入したシートを、装置本体１０内の手差し給紙路３９を通してシート搬送路３２へと導く。反対に、装置本体１０の左側面には、図示省略した排紙トレイを着脱自在に取り付ける。そして、シート搬送路３２を通して排出ローラ３６で排出したシートをその排紙トレイで受ける。
【００２３】
さていま、このカラー複写機を用いてカラーコピーを取るときには、コンタクトガラス３０上に原稿Ｇをセットし、図示しないスタートスイッチを押す。そして、光学読取り装置２９を作動して原稿面に沿って走査し、コンタクトガラス３０上にセットした原稿Ｇの内容を読み取る。同時に、給紙装置５０の１の給紙カセット５１から給紙ローラ５２で選択的に送り出したシートを自動給紙路３７を通してシート搬送路３２へと導き、または手差しトレイ３８上にセットしたシートを手差し給紙路３９を通してシート搬送路３２へと導き、レジストローラ３３に突き当てて止める。
【００２４】
他方、像担持体１２を図中反時計方向に回転するとともに、複数のローラ２３のうちの駆動ローラの回転で従動ローラを従動回転して中間転写体２４を時計方向に回転搬送する。そして、像担持体１２の回転にともない、まずその表面を帯電装置１３で一様に帯電し、次いで光学読取り装置２９による読取り内容に応じてレーザ書込み装置１８でレーザ光Ｌを照射し、第１色目の書込みを行って像担持体１２上に第１色目の静電潜像を形成する。
【００２５】
その後、像担持体１２の回転にともない、リボルバ現像装置１４の第１色目の現像器２０Ａで現像ローラ２２によりトナーを付着してその静電潜像を可視像化し、第１色目の画像を形成してその画像を第１転写装置２５で中間転写ユニット１５の中間転写体２４上に転写する。転写後の像担持体１２表面は、クリーニング装置１６でクリーニングして第１色目の残留トナーを除去し、除電装置１７で除電する。
【００２６】
続いて、同様に像担持体１２の回転にともない、一様に帯電し、第２色目の書込みを行い、リボルバ現像装置１４を回転して像担持体１２に対向した第２色目の現像器２０Ｂを用いて現像し、像担持体１２上に形成した第２色目の画像を中間転写体２４上に第１色目の画像に重ねて転写する。そして、転写後の像担持体１２表面は、クリーニングし、除電する。
【００２７】
第３色目および第４色目の画像も、同様に像担持体１２上に形成して中間転写体２４上に重ねて転写する。そして、結局中間転写体２４上に原稿Ｇの内容に応じた合成トナー画像を形成する。
【００２８】
この後、中間転写体２４の搬送にタイミングを合わせてレジストローラ３３を回転し、レジストローラ３３に突き当てていた前述のシートを中間転写ユニット１５と第２転写装置２６間に送り込む。そして、第２転写装置２６で、中間転写体２４上の合成トナー画像を一括転写して該シートにカラー記録を行う。そのカラー記録後のシートは、搬送ベルト３４で搬送して定着装置３５に入れ、ローラ間で熱と圧力を加えて転写画像を定着する。定着後、排出ローラ３６で排出して排紙トレイ上に順次スタックする。
【００２９】
一方、画像転写後の中間転写体２４表面は、適宜タイミングでその中間転写体２４に押し当てる転写体クリーニング装置２７でクリーニングして残留トナーを除去する。
【００３０】
以上原稿Ｇの画像が４色の場合について説明したが、３色の場合には、像担持体１２上に繰り返し形成した３色の単色画像を中間転写体２４上に重ねて転写し、また２色の場合には、像担持体１２上に繰り返し形成した２色の単色画像を中間転写体２４上に重ねて転写し、その合成トナー画像を一括転写してシートにカラー記録を行う。単色の場合は、像担持体１２上に形成した単色画像を中間転写体２４上に転写し、そのトナー画像を転写してシートに単色記録を行う。
【００３１】
ところで、図示カラー複写機では、上述した像担持体１２・リボルバ現像装置１４などを引き出し体６０内に収納する。そして、図３に示すように、その引き出し体６０を装置本体１０に対して出し入れ自在とする。引き出し体６０には、図４にも示すように、像担持体１２・リボルバ現像装置１４などを収納するケース本体６１と、その正面側に取り付ける前板６２と、背面側に取り付ける後板６３とを設ける。後板６３には、すべり軸受６４を取り付ける。
【００３２】
図４中符号１４で示すリボルバ現像装置は、その回転軸２１を軸受６５・６６を介して前板６２と後板６３とで支持する。符号２２は、像担持体１２と対向する１の現像器の現像ローラである。現像ローラ２２は、不図示の後述するリボルバ本体にローラ軸６７を中心として回転自在に支持される。
【００３３】
一方、装置本体１０には、筐体７０内に引き出し体収納部７１を形成し、その正面側に開口７２をあける。筐体７０には、後板７３に軸支持体７４を取り付ける。軸支持体７４は、軸受７５を介してドラム軸７６を支持する。ドラム軸７６は、引き出し体収納部７１を貫通するように正面側に向けて突出する。
【００３４】
そして、装置本体１０に引き出し体６０を押し込んだときは、図４に示すように、軸支持体７４をすべり軸受６４内に入れ、ドラム軸７６を像担持体１２にはめ付けてその中心孔を貫通し、先端を軸受６８内に入れて前板６２で支持する。これにより、像担持体１２を回転自在に支持するとともに、対向する現像ローラ２２との間に現像ギャップＧｐを確保する。
【００３５】
さて、リボルバ現像装置１４の前述したリボルバ本体は、符号４０を付して図５に示すように、角筒状の現像支持体４１の両端に各々円盤状の側板（支持部材）４２を取り付け固定して構成する。そして、それら対向する一対の側板４２の中心を貫通するとともに現像支持体４１を前述した中心軸２１が貫通し、その中心軸２１を中心として前述した引き出し体６０でリボルバ現像装置１４を回転自在に支持する。
【００３６】
両側板４２の対向する内面４２ｇには、周縁の同一円周上に、４つのホルダ４３を９０度の間隔で取り付ける。そして、各ホルダ４３を、適宜の手段でそれぞれ両側板４２に対して径方向にのみ移動自在とし、詳しくは後述する軸孔４３ｃを設けてその軸孔４３ｃにローラ軸６７の軸端を挿入して、図６に示すように左右対応する位置に設ける一対のホルダ４３で現像ローラ２２を支持する。これにより、対向する一対の側板４２でホルダ４３を介してそれぞれ各色の現像ローラ２２を回転自在に支持する。
【００３７】
また、内面４２ｇには、図７（Ａ）に示すように、ホルダ４３の移動方向Ａと交差する方向Ｂに直線溝（ガイド）４２ａを設ける。この直線溝４２ａは、図７（Ｂ）に示すように段付きとし、小幅の長孔４２ｂと一体に設ける。そして、この直線溝４２ａには、調整部材４４のガイド凸部４４ｂをはめ込み、調整部材４４を直線溝４２ａで案内して調整移動自在に備える。
【００３８】
調整部材４４の中心孔には、ねじ４５を挿通し、そのねじ４５の先端を長孔４２ｂに通して側板４２を貫通し、外側でナット４５ｂにねじ込む。調整部材４４は、その調整移動後の位置で、図７（Ａ）および（Ｂ）に示すように、ねじ４５を締め付け、側板４２に固定する。そして、この調整部材４４には、ホルダ４３を後述する付勢部材で付勢して押し当てている。
【００３９】
ホルダ４３は、図７（Ｃ）に示すように、長辺の両側部にそれぞれ長孔４３ｂを貫通させ、その長孔４３ｂにガイドピン４３ｄを移動可能に挿入する。また、側板４２にはピン孔４２ｆを形成し、ガイドピン４３ｄの先端を圧入する。そして、そのガイドピン４３ｄにねじ５６をねじ込んで、ホルダ４３を長孔４３ｂの適当な位置で固定する。なお、長孔４３ｂは、ホルダ４３が矢印Ａ方向に移動可能に、かつ、ホルダ４３の短辺方向に沿ってガイドピン４３ｄの径に対して余裕を持って形成されている。
【００４０】
これにより、ねじ４５の締め付けを緩めた状態で調整部材４４をスライドして直線溝４２ａに沿って図５中矢印Ｂで示すように、ホルダ４３の移動方向に対して交差する方向に調整移動し、側板４２に対してホルダ４３を矢印Ａ方向に移動して像担持体１２に対して現像ローラ２２を近付けたり遠退けたりすることにより現像ギャップＧｐを調整する現像ギャップ調整装置５０を構成する。
【００４１】
ところで、ホルダ４３は、具体的には、図８に示すように本体４７とレバー体４６とでつくる。本体４７は、直方体形状で、上面に半円状の溝４７ｂを有するとともに、１つのコーナーに立方体形状の凸部４７ｃを上向きに設け、その凸部４７ｃに溝４７ｂと平行な軸孔４７ａをあける。他方、レバー体４６には、一端片面から軸部４６ａを突出するとともに、下面に凹部４６ｂを形成する。
【００４２】
そして、軸孔４７ａに軸部４６ａを挿入してその軸部４６ａを中心として回動自在に本体４７に対してレバー体４６を組み付ける。これにより、このホルダ４３で現像ローラ２２を支持するときは、レバー体４６を開いて溝４７ｂにローラ軸６７の軸端を入れてから、レバー体４６を閉じて本体４７上に重ね合わせ、不図示のねじで締め付ける。すると、溝４７ｂと凹部４６ｂとを合わせて上述した略記した軸孔４３ｃを形成し、その軸孔４３ｃにローラ軸６７の軸端を挿入したかたちで、図９に示すようにホルダ４３で現像ローラ２２を支持する。
【００４３】
そして、以上のように構成したホルダ４３を、例えば図１０に示すように引張ばね（付勢部材）４８で付勢して調整部材４４に押し当て、現像ギャップＧｐを測定しながら調整治具で調整して、ねじ４５ａを緩めて調整部材４４をホルダ４３の移動方向Ｄに対して交差する方向Ｃに調整移動し、調整部材４４で支持する現像ローラ２２を像担持体１２に対して近付けたり遠退けたりして現像ギャップＧｐを調整する。調整後、ねじ４５ａを締め付ける。
【００４４】
なお、図１０に示す例では、引張ばね４８を用いたが、図１１に示すように圧縮ばね（付勢部材）４９を用いてホルダ４３を調整部材４４に押し当て、現像ギャップＧｐを測定しながら調整治具で調整して、調整部材４４をホルダ４３の移動方向Ｄに対して交差するＣ方向に調整移動し、調整部材４４で支持する現像ローラ２２を像担持体１２に対して近付けたり遠退けたりして現像ギャップＧｐを調整するようにしてもよい。
【００４５】
ところで、図１０に示すように、調整部材４４の調整移動方向がホルダ４３の移動方向であるｘ軸と交差する角度をαとすると、ホルダ４３の移動距離は、調整部材４４の移動距離にｃｏｓαを乗じたものとなる。したがって、αが大きいと、調整部材４４の移動距離に対してホルダ４３の移動距離を僅かにすることができ、ホルダ４３を微調整することができる。この例では、αが７５度以上９０度未満である場合に、より効果的にホルダ４３を微調整することができる。
【００４６】
なお、この例では、調整部材４４の形状を略円柱としたが、この発明はこれに限定されるものではなく、直方体状であってもよいし、多面体状であってもよい。
【００４７】
次に、この発明による現像ギャップ調整装置を備えた画像形成装置の他例について説明する。この例の画像形成装置では、現像ギャップ調整装置以外の構成・作用は、前述の例と同様であるので説明を省略する。
【００４８】
この例の現像ギャップ調整装置５１は、図１２（Ａ）に示すように、現像ローラ２２を回転自在に支持するホルダ５３と、そのホルダ５３を案内する案内部材５２をそなえる。詳しくは、リボルバ本体４０の対向する一対の側板４２の内面４２ｇにそれぞれ案内部材５２を不図示のねじで固設する。この案内部材５２は、案内板５２ａと取付板５２ｂとからなり、案内板５２ａと取付板５２ｂとのなす角βが７５度以上９０度未満となるとき、最適である。換言すると、案内板５２ａを、現像ローラ２２のローラ軸６７方向に直交する現像ギャップＧｐの調整方向Ｆとのなす角度βが７５度以上９０度未満となるよう傾斜して設けるとよい。
【００４９】
そして、案内部材５２の案内面５２ｃにあててホルダ５３を設ける。このホルダ５３は、説明を省略する手段により、案内面５２ｃから離れることなく、案内面５２ｃの最大傾斜方向に沿って移動自在となるように適宜取り付けられる。
【００５０】
例えば、ホルダ５３を案内面５２ｃに沿って水平距離ｌだけ移動させると、像担持体１２と現像ローラ２２との現像ギャップＧｐ１が、図１２（Ｂ）に示すように、現像ギャップＧｐ２となる。すなわち、現像ギャップの調整距離をΔＧｐとすると、ΔＧｐ＝Ｇｐ１−Ｇｐ２＝ｌ／ｔａｎβとなる。
【００５１】
したがって、βが大きいと、ホルダ５３の水平移動距離ｌに対して現像ギャップＧｐの調整距離ΔＧｐを僅かにすることができ、ホルダ５３を容易に微調整することができる。この例では、βが７５度以上９０度未満である場合、最適となる。
【００５２】
この例において、現像ギャップＧｐを調整するときは、不図示の調整治具を用いて現像ギャップを測定しながら、図１３に示すように、適当な厚さのスペーサ（調整板）５４を、ホルダ５３と側板４２との間に挿入して挟持させる。現像ギャップＧｐが設定値でないときは、適宜、他の厚さのスペーサ５４と交換する。そして、現像ギャップＧｐが設定値となったときは、ホルダ５３に設けられた長孔５３ａにねじ５５を貫通した後、スペーサ５４のねじ孔５４ａに挿入し、側板４２に形成されたねじ孔４２ｅにねじ込んで、ホルダ５３を側板４２に固定する。これによって、現像ローラ２２と像担持体１２との現像ギャップＧｐが容易に微調整できる。
【００５３】
【発明の効果】
以上説明したとおり、請求項１に係る発明によれば、ホルダの移動方向に対して交差する方向に調整移動してホルダを移動する調整部材を備えるので、調整部材の移動距離に対してホルダの移動距離を少なくすることができ、容易に現像ギャップを微調整しうる現像ギャップ調整装置を提供することができる。
【００５４】
請求項２に係る発明によれば、調整部材の調整移動方向が前記ホルダの移動方向と交差する角度を７５度以上９０度未満とするので、調整部材の移動距離に対してホルダの移動距離を一層少なくすることができ、一層容易に現像ギャップを微調整しうる現像ギャップ調整装置を提供することができる。
【００５５】
請求項３に係る発明によれば、ホルダを付勢して調整部材に押し当てる付勢部材を備えるので、調整部材の移動に追随してホルダを確実に移動させることができる。
【００５６】
請求項４に係る発明によれば、支持部材に、調整部材の調整移動を案内するガイドを設けるので、ホルダをより正確に移動させることができ、さらに容易に現像ギャップを微調整しうる現像ギャップ調整装置を提供することができる。
【００５７】
請求項５に係る発明によれば、支持部材に案内部材を設け、その案内部材に、ホルダを現像剤担持体の軸方向に調整移動するとき、そのホルダを案内して像担持体に対して現像剤担持体を近付けたり遠退けたりする案内面を形成するので、ホルダの移動距離に対して現像ギャップの調整距離を少なくすることができ、容易に現像ギャップを微調整しうる現像ギャップ調整装置を提供することができる。
【００５８】
請求項６に係る発明によれば、案内面を、現像剤担持体の軸方向に直交する方向に対して７５度以上９０度未満傾斜して設けるので、ホルダの移動距離に対して現像ギャップの調整距離を一層少なくすることができ、一層容易に現像ギャップを微調整しうる現像ギャップ調整装置を提供することができる。
【００５９】
請求項７に係る発明によれば、ホルダを支持部材に対して調整板を挟んで固定するので、調整板を入れ換えることにより現像ギャップの微調整ができ、さらに容易に現像ギャップを微調整しうる現像ギャップ調整装置を提供することができる。
【００６０】
請求項８に係る発明によれば、請求項１ないし７のいずれか１に記載の現像ギャップ調整装置を備えるから、上記各効果を有する現像ギャップ調整装置を備えた画像形成装置を提供することができる。
【図面の簡単な説明】
【図１】画像形成装置の一例として示すカラー複写機であり、その内部機構の全体概略構成図である。
【図２】その要部の拡大図である。
【図３】その装置本体から引き出し体を引き出した状態を示す斜視図である。
【図４】装置本体の筐体内に引き出し体を収納した状態を示す概略平面構成図である。
【図５】リボルバ本体の斜視図である。
【図６】現像ローラの概略支持状態図である。
【図７】（Ａ）は、ホルダと調整部材を側板に取り付けた状態を示す図、（Ｂ）は、調整部材の縦断面図、（Ｃ）は、ホルダの縦断面図である。
【図８】ホルダの分解斜視図である。
【図９】そのホルダと現像ローラ、調整部材との関係を示した斜視図である。
【図１０】この発明の現像ギャップ調整装置による現像ギャップの調整方法の説明図である。
【図１１】この発明の別の現像ギャップ調整装置による現像ギャップの調整方法の説明図である。
【図１２】この発明のさらに別の現像ギャップ調整装置による現像ギャップの調整方法の説明図である。
【図１３】その一部拡大縦断面図である。
【符号の説明】
１２　　像担持体
２２　　現像ローラ（現像剤担持体）
４２　　側板（支持部材）
４２ａ　　直線溝（ガイド）
４３，５３　　ホルダ
４４　　調整部材
４８　　引張ばね（付勢部材）
４９　　圧縮ばね（付勢部材）
５０，５１　　現像ギャップ調整装置
５２　　案内部材
５２ｃ　　案内面
５４　　スペーサ（調整板）
６７　　ローラ軸
Ｇｐ，Ｇｐ１，Ｇｐ２　　現像ギャップ
【図１】
2004086087.tif 000003
【図２】
2004086087.tif 000004
【図３】
2004086087.tif 000005
【図４】
2004086087.tif 000006
【図５】
2004086087.tif 000007
【図６】
2004086087.tif 000008
【図７】
2004086087.tif 000009
【図８】
2004086087.tif 000010
【図９】
2004086087.tif 000011
【図１０】
2004086087.tif 000012
【図１１】
2004086087.tif 000013
【図１２】
2004086087.tif 000014
【図１３】
2004086087.tif 000015